【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
患者の心臓内のパラメータを遠隔的に計測する方法であって、
心臓を映像化するステップと、
心臓中の埋め込み箇所を認識するステップと、
前記埋め込み箇所の組織に開口を形成するステップと、
ハウジングと、前記ハウジングの一端に配置されて前記パラメータに応じて変形しうる薄膜と、前記ハウジングの内部に配置され、前記薄膜に作動的に通じ、光電セルのアレイを持ち、前記パラメータを示す信号を送信するためのマイクロチップと、前記マイクロチップと作動的に接続され、前記光電セルのアレイから間隔をおいて配置される発光ダイオードと、に連結され、光電セルのアレイの上方を移動可能に延びる、前記薄膜と連動するシャッタとを備えるセンサを準備するステップと、
前記センサを前記開口に配置するステップと、
前記センサから送信される信号に基づいて患者の体外から遠隔的に前記パラメータを計測するステップとを備えることを特徴とする方法。
【請求項２】
患者の体外から前記センサに遠隔的に給電するステップを備えることを特徴とする請求項１に記載の方法。
【請求項３】
前記計測されたパラメータを表示するステップを備えることを特徴とする請求項２に記載の方法。
【請求項４】
信号読取兼充電装置によって、前記パラメータを計測するステップと、前記センサを給電するステップと、前記計測されたパラメータを表示するステップとを備えることを特徴とする請求項３に記載の方法。
【請求項５】
前記信号読取兼充電装置によって、パラメータの計測を一秒あたり複数回行うステップを備えることを特徴とする請求項４に記載の方法。
【請求項６】
前記センサを心臓の空間内に配置することを特徴とする請求項５に記載の方法。
【請求項７】
前記埋め込み箇所は隔壁であることを特徴とする請求項６に記載の方法。
【請求項８】
前記埋め込み箇所はさらに卵円窩を有することを特徴とする請求項７に記載の方法。
【請求項９】
前記パラメータは、血流力学的な血圧であることを特徴とする請求項８に記載の方法。
【請求項１０】
一秒あたり１０回乃至２０回のパラメータ計測をするステップを備えることを特徴とする請求項５に記載の方法。
【請求項１１】
針によって前記開口を形成するステップを備えることを特徴とする請求項１に記載の方法。
【請求項１２】
前記センサに複数の定着用脚部を設け、前記センサを組織に定着させるステップを備えることを特徴とする請求項１１に記載の方法。
【請求項１３】
血栓を生成しない薬剤でセンサを被覆することによって、心臓内部に血栓が生ずるのを防止するステップを備えることを特徴とする請求項１２に記載の方法。
【請求項１４】
前記映像化は経食道超音波による映像化を用いて行うことを特徴とする請求項１に記載の方法。
【請求項１５】
患者の心臓内のパラメータを遠隔的に計測する方法であって、
心臓を映像化するステップと、
心臓中の埋め込み箇所を認識するステップと、
ハウジングと、前記ハウジングの一端に配置されて前記パラメータに応じて変形しうる薄膜と、前記ハウジングの内部に配置され、前記薄膜に作動的に通じ、光電セルのアレイを持ち、前記パラメータを示す信号を送信するためのマイクロチップと、前記マイクロチップと作動的に接続され、前記光電セルのアレイから間隔をおいて配置される発光ダイオードと、に連結され、光電セルのアレイの上方を移動可能に延びる、前記薄膜と連動するシャッタとを備えるセンサを準備するステップと、
前記センサの貫入端と先細の端部を利用して前記センサを前記埋め込み箇所に埋め込むステップと、
前記センサから送信される信号に基づいて患者の体外から遠隔的に前記パラメータを計測するステップとを備えることを特徴とする方法。
【請求項１６】
患者の体外から遠隔的に前記センサに給電するステップを備えることを特徴とする請求項１５に記載の方法。
【請求項１７】
前記計測されたパラメータを表示するステップを備えることを特徴とする請求項１６に記載の方法。
【請求項１８】
信号読取兼充電装置によって、前記パラメータを計測するステップと、前記センサを給電するステップと、前記計測されたパラメータを表示するステップとを備えることを特徴とする請求項１７に記載の方法。
【請求項１９】
前記信号読取兼充電装置によって、パラメータの計測を一秒あたり複数回行うステップを備えることを特徴とする請求項１８に記載の方法。
【請求項２０】
前記センサを心臓の空間内に配置することを特徴とする請求項１９に記載の方法。
【請求項２１】
前記埋め込み箇所は隔壁であることを特徴とする請求項２０に記載の方法。
【請求項２２】
前記埋め込み箇所はさらに卵円窩を有することを特徴とする請求項２１に記載の方法。
【請求項２３】
前記パラメータは、血流力学的な血圧であることを特徴とする請求項２２に記載の方法。
【請求項２４】
一秒あたり１０回乃至２０回の読取を行うステップを備えることを特徴とする請求項２３に記載の方法。
【請求項２５】
血栓を生成しない薬剤でセンサを被覆することによって、心臓内部に血栓が生ずるのを防止するステップを備えることを特徴とする請求項１６に記載の方法。
【請求項２６】
前記センサの前記先細の端部に螺旋状の線条を設けるステップと、前記先細の端部を組織にねじ込むことによって前記センサの前記先細の端部を前記埋め込み箇所における前記組織に定着させるステップとを備えることを特徴とする請求項１６に記載の方法。
【請求項２７】
前記センサの前記先細の端部に複数の組織貫入鈎爪を設けるステップと、前記組織貫入鈎爪によって前記センサの前記先細の端部を前記埋め込み箇所における組織に定着させるステップとを備えることを特徴とする請求項１６に記載の方法。
【請求項２８】
前記映像化は経食道超音波による映像化を用いて行うことを特徴とする請求項１５に記載の方法。
【請求項２９】
患者の心臓内のパラメータを遠隔的に計測する方法であって、
心臓を映像化するステップと、
心臓中の埋め込み箇所を認識するステップと、
螺旋状の線条を有する先細の端部と貫入端とを有するハウジングと、前記ハウジングの一端に配置されて前記パラメータに応じて変形しうる薄膜と、前記ハウジングの内部に配置され、前記薄膜に作動的に通じ、前記パラメータを示す信号を送信するためのマイクロチップとを備えるセンサを準備するステップと、
前記センサの貫入端と先細の端部を利用し、前記先細の端部を前記埋め込み箇所の組織にねじ込むことによって、前記センサを前記埋め込み箇所に埋め込むステップと、
患者の体外から遠隔的に前記センサに給電するステップと、前記センサによる信号に基づいて患者の体外から遠隔的に前記パラメータを計測するステップとを備えることを特徴とする方法。
【請求項３０】
前記計測されたパラメータを表示するステップを備えることを特徴とする請求項２９に記載の方法。
【請求項３１】
信号読取兼充電装置によって、前記パラメータを計測するステップと、前記センサを給電するステップと、前記計測されたパラメータを表示するステップとを備えることを特徴とする請求項３０に記載の方法。
【請求項３２】
前記信号読取兼充電装置によって、パラメータの計測を一秒あたり複数回行うステップを備えることを特徴とする請求項３１に記載の方法。
【請求項３３】
前記センサを心臓の空間内に配置することを特徴とする請求項３２に記載の方法。
【請求項３４】
前記埋め込み箇所は隔壁であることを特徴とする請求項３３に記載の方法。
【請求項３５】
前記埋め込み箇所はさらに卵円窩を有することを特徴とする請求項３４に記載の方法。
【請求項３６】
前記パラメータは、血流力学的な血圧であることを特徴とする請求項３５に記載の方法。
【請求項３７】
一秒あたり１０回乃至２０回のパラメータ計測をするステップを備えることを特徴とする請求項３６に記載の方法。
【請求項３８】
血栓を生成しない薬剤でセンサを被覆することによって、心臓内部に血栓が生ずるのを防止するステップを備えることを特徴とする請求項２９に記載の方法。
【請求項３９】
前記センサの先細の先端に複数の組織貫入鈎爪を設けるステップと、前記前記センサの先細の先端を埋め込み箇所の組織に前記組織貫入鈎爪を利用して定着させるステップを備えることを特徴とする請求項２９に記載の方法。
【請求項４０】
前記映像化は経食道超音波による映像化を用いて行うことを特徴とする請求項２９に記載の方法。